(57)【特許請求の範囲】
【請求項１】
骨折治療に用いる骨折治療用内固定器であって、
治療対象部位に対し、骨折部位を跨ぐように貫通される鋼線と、
前記治療対象部位の前記骨折部位を挟む骨の両端箇所に差し込むことで固定され、前記
鋼線の両端部を保持する一対の鋼線保持具と、
該鋼線保持具上で前記鋼線の両端部を力学的手段により固定する鋼線固定具とを備え、
前記鋼線固定具は、
ネジ部及び頭部を有するボルトと、
前記ネジ部に螺合されるナットとを有し、
前記ネジ部には前記鋼線を貫通させる第２の貫通孔が前記ネジ部の軸方向に対して直交するように形成され、
前記ナットの螺合により前記鋼線の端部が該ナットと前記ボルトの頭部との間で固定される
ことを特徴とする骨折治療用内固定器。
【請求項２】
前記鋼線保持具は、
前記鋼線を貫通させる第１の貫通孔が形成された基板部と、
該基板部に前記第１の貫通孔の向きに沿って具備された楔部とを有し、
前記楔部が前記治療対象部位に食い込み可能とされている
ことを特徴とする請求項１に記載の骨折治療用内固定器。
【請求項３】
前記力学的手段が、ネジの作用により鋼線を押圧することであることを特徴とする請求項１又は２に記載の骨折治療用内固定器。
【請求項４】
前記第２の貫通孔は、前記頭部に寄った位置に設けられていることを特徴とする請求項３に記載の骨折治療用内固定器。
【請求項５】
前記ボルトは多角形ボルトであり、
前記ナットの外径は前記ボルトの頭部の外径より小さくされており、
前記ボルトの頭部の側方端面が前記鋼線保持具の基板部に当接した状態で前記鋼線の端部が固定される
ことを特徴とする請求項１又は４に記載の骨折治療用内固定器。
【請求項６】
骨折治療に用いる骨折治療用内固定器であって、
治療対象部位に対し、骨折部位を跨ぐように貫通される鋼線と、
前記治療対象部位の前記骨折部位を挟む骨の両端箇所に差し込むことで固定され、前記鋼線の両端部を保持する一対の鋼線保持具と、
該鋼線保持具上で前記鋼線の両端部を力学的手段により固定する鋼線固定具とを備え、
前記鋼線固定具は、
ネジ部及び頭部を有するボルトと、
前記ネジ部に螺合されるナットとを有し、
前記ボルトは多角形ボルトの形状であり、且つ、
前記ボルトのネジ部は先端に向けて先細りとなるテーパー形状とされ、且つ、
該ネジ部の中心部には、ボルトネジ部を分割するように、先端から前記多角形ボルトの
頭部にかけて切り欠かれた溝が形成され、
該多角形ボルトへのナットの螺合により、前記溝に嵌め込まれた前記鋼線の端部が、前記溝の幅が狭められ、溝内面により押圧されることで、前記溝内で固定される
ことを特徴とする骨折治療用内固定器。
【請求項７】
前記鋼線固定具は、
ネジ部及び頭部を有するボルトと、
前記ネジ部に螺合されるナットとを有し、
前記ボルトのネジ部は先端に向けて先細りとなるテーパー形状とされ、
該ネジ部の中心部には、先端から前記頭部にかけて切り欠かれた溝が形成され、
前記頭部に前記ネジ部の軸方向に沿いかつ前記溝に連通させた丸孔が形成され、
前記ボルトの頭部の頂部が前記鋼線保持具の基板部に当接した状態で前記ナットが螺合されることにより、前記溝の内面により押圧されることで、前記鋼線の端部が前記溝の先端側で固定される
ことを特徴とする請求項６に記載の骨折治療用内固定器。
【請求項８】
骨折治療に用いる骨折治療用内固定器であって、
治療対象部位に対し、骨折部位を跨ぐように貫通される鋼線と、
前記治療対象部位の前記骨折部位を挟む骨の両端箇所に差し込むことで固定され、前記鋼線の両端部を保持する一対の鋼線保持具と、
該鋼線保持具上で前記鋼線の両端部を力学的手段により固定する鋼線固定具とを備え、
前記鋼線固定具は、
外周にネジ部を有し、内部に第３の貫通孔を有するスリーブと、
内部に第４の貫通孔を有し、前記第３の貫通孔と貫通した鋼線との間に形成される隙間に先端部側が嵌め込まれるフェラル又はＯ−リングと、
内部に前記フェラル又はＯ−リングを収容可能な空間を有し、頂部から前記空間に連通させた第５の貫通孔を有する袋ナットとを有し、
前記袋ナットの締め込みにより、前記フェラル又はＯ−リングが前記鋼線の端部及び前記第３の貫通孔と鋼線との間で形成される隙間に食い込むことで前記鋼線の端部が固定される
ことを特徴とする骨折治療用内固定器。
【請求項９】
骨折治療に用いる骨折治療用内固定器であって、
治療対象部位に対し、骨折部位を跨ぐように貫通される鋼線と、
前記治療対象部位の前記骨折部位を挟む骨の両端箇所に差し込むことで固定され、前記鋼線の両端部を保持する一対の鋼線保持具と、
該鋼線保持具上で前記鋼線の両端部を力学的手段により固定する鋼線固定具とを備え、
前記鋼線固定具は、
外周にネジ部を有し、内部に第３の貫通孔を有し、フランジを挟んで、両側が雄ネジとなるボルト部を有するユニオンタイプのスリーブと、
内部に第４の貫通孔を有し、双方のボルト部の端部にある前記第３の貫通孔と貫通した鋼線との間に形成される隙間に先端部側が嵌め込まれる１対のフェラル又はＯ−リングと、
内部に前記フェラル又はＯ−リングを収容可能な空間を有し、頂部から前記空間に連通させた第５の貫通孔を有する１対の袋ナットとを有し、
前記袋ナットの締め込みにより、前記フェラル又はＯ−リングが前記鋼線の端部及び前記第３の貫通孔と鋼線との間で形成される隙間に食い込むことで前記鋼線の端部が固定される
ことを特徴とする骨折治療用内固定器。
【請求項１０】
前記フェラル又はＯ−リングは、硬質樹脂よりなることを特徴とする請求項８又は９に記載の骨折治療用内固定器。
【請求項１１】
前記硬質樹脂は、テフロン（登録商標）であることを特徴とする請求項１０に記載の骨折治療用内固定器。
【請求項１２】
前記フェラル又はＯ−リングは可撓性の樹脂よりなることを特徴とする請求項８又は９に記載の骨折治療用内固定器。
【請求項１３】
前記可撓性の樹脂は、シリコーン樹脂又はバイトン樹脂であることを特徴とする請求項１２に記載の骨折治療用内固定器。
【発明の詳細な説明】
【技術分野】
【０００１】
本発明は、膝蓋骨、大腿骨遠位部、踵骨などにおける、双方向（骨の両端）から締め付けが可能な部位の骨折の手術治療に係り、具体的には骨折部位を挟んで骨の両端を起点に締め付ける治療法に用いる、骨折治療用内固定器に関する。
【背景技術】
【０００２】
たとえば、膝蓋骨の骨折においては、通常、上下２つの骨片に分かれるような骨折（横骨折）や、左右２つの骨片に分かれるような骨折（縦骨折）などが多くみられる。このような骨折に対する治療法としては、非特許文献１に示されているようなテンションバンドワイアリング法が用いられている。また、転移（骨のずれ）がない場合には非特許文献２に示される保存療法、具体的にはギブスなどにより固定する治療法も採用される。保存療法は、比較的軽症である骨のずれがない場合に限定され、また運動の制限が大きいこと、癒着に長期間を要することなどの問題があり、テンションバンドワイヤリング法による手術治療が主流となっている。【０００３】
ここで、テンションバンドワイアリング法の概要について説明すると、たとえば図１９に示すように、膝蓋骨１の亀裂部１ｃの亀裂方向に対して直交するように、一方の骨片１ａの端部から他方の骨片の端部１ｂに向け、２本のチタン製やステンレス製のキルシュナー鋼線と呼称される金属製などの棒状体（以降、便宜的に鋼線という。）２を平行に貫通させる。さらに、両骨片１ａ、１ｂの端部から露出させた鋼線２の先端部２ａを膝蓋骨１の後方に向けて曲げ、鋼線２の先端部２ａと後端部２ｃとの間に８の字を描くようにステンレス製のワイヤー３をたすきがけに巻き付ける。そして、ワイヤー３を締め上げることで、亀裂部１ｃを閉じるようにし、両骨片１ａ、１ｂを固定する。なお、符号３ａは、ワイヤー３の結び目を示している。
【先行技術文献】
【特許文献】
【０００４】
【非特許文献１】キャンベル整形外科手術書（全１１巻）藤井克之（総監訳者）エルゼビア・ジャパン株式会社  第７巻「骨折と脱臼」Ｐ１３４〜１３７、Ｐ３７６〜３７７  ２００４年９月
【非特許文献２】「膝蓋骨骨折の症状・診断・治療についての解説」インターネット＜ｈｔｔｐ：／／ａｌｌａｂｏｕｔ．ｃｏ．ｊｐ／ｇｍ／ｇｃ／４２０２１３／＞
【発明の概要】
【発明が解決しようとする課題】
【０００５】
上述した非特許文献１でのテンションバンドワイアリング法では、膝蓋骨１に貫通させたキルシュナー鋼線２にワイヤー３をたすきがけに巻き付けて締め上げにより、膝蓋骨１の両骨片１ａ、１ｂの固定が確実に行われるため、比較的良好な手術成績が得られている。【０００６】
ところが、このようなテンションバンドワイアリング法では、膝蓋骨１は骨粗鬆症が高度な高齢者などでは骨がぜい弱なため、足を動かすなどしている間に鋼線２がズレてしまい、たすきがけしたワイヤー３による張力が弱まったり、ワイヤー３が鋼線２の先端部２ａ又は後端部２ｃから外れたりするようなバックアウト現象が生じてしまうことがあるという問題があった。このようなバックアウト現象は時々術後に見受けられ、バックアウトが生じた場合には再度の手術を余儀なくされることとなり、患者への負担は大きい。【０００７】
また、膝蓋骨１の亀裂部１ｃの亀裂方向に対して直交するように２本の鋼線２を平行に貫通させ、さらに鋼線２の先端部２ａと後端部２ｃとの間に８の字を描くようにステンレス製のワイヤー３をたすきがけに巻き付ける必要がある。そのため、膝関節前方に少なくともワイヤー３のたすきがけに必要な広範囲の切開（約１０ｃｍ程度）が必要となり、手術創が大きくなり、美容的に優れないばかりか、疼痛やひざ関節の可動域が制限される原因となるという問題もあった。【０００８】
さらには、治療時間も比較的長時間を要することとなり、こういった面からも患者の負担が大きくなるという問題もあった。【０００９】
本発明は、このような状況に鑑みてなされたものであり、バックアウト現象を確実に防止することができ、しかも手術創を小さくし、患者負担を軽減することができる骨折治療用内固定器を提供することを目的とする。
【課題を解決するための手段】
【００１０】
本発明の骨折治療用内固定器は、骨折治療に用いる骨折治療用内固定器であって、治療
対象部位に対し、骨折部位を跨ぐように貫通される鋼線と、前記治療対象部位の前記骨折
部位を挟む骨の両端箇所に差し込むことで固定され、前記鋼線の両端部を保持する一対の
鋼線保持具と、該鋼線保持具上で前記鋼線の両端部を力学的手段により固定する鋼線固定
具とを備え、前記鋼線固定具は、ネジ部及び頭部を有するボルトと、前記ネジ部に螺合さ
れるナットとを有し、前記ネジ部には前記鋼線を貫通させる第２の貫通孔が前記ネジ部の
軸方向に対して直交するように形成され、前記ナットの螺合により前記鋼線の端部が該ナ
ットと前記ボルトの頭部との間で固定されることを特徴とする。
ここにおいて、本発明の骨折治療用内固定器を構成する各部について説明する。該固定
具を構成する鋼線は、直線的な棒状体であり、施術留置した際に、患者の運動などに対し
て充分な強度を保持できるものであればよく、特段に限定されるものではない。具体的に
は、材質としては、金属類である鋼などの鉄、銅（ただし強度（硬度）を持たせるために
焼きなまししたものが好ましい。）、ステンレス合金、チタン、チタン合金などが例示さ
れ、高強度樹脂なども例示されるが、腐食性、強度、脆性、生体親和性などの観点から、
ステンレス合金、チタン合金などが好ましい材質として推奨される。
また、形状としては長い直線で棒状の形状であり、太さは施術後、体内留置した際に極
端に運動を阻害したり、留置の際に周辺の骨部位を破壊しない程度の太さであればよく、
従って留置部位の骨形状や周辺状況、部位における外力などの負荷の大きさなどにより適
宜選択できる。
余りにその太さが細い場合には、鋼線保持具による固定が難しい恐れもあるため、細す
ぎることは避ける必要がある。従って、太さは、たとえば膝蓋骨骨折に用いる場合、断面
最大径が０．５〜８ｍｍ、好ましくは０．８〜５ｍｍであることが推奨される。また、形
状としては、円柱状や三角柱、四角柱などの角柱状でもよいが、一般的には円柱状が好ま
しい。
さらに、鋼線の一端部（先端部）は、施術時に鋼線が骨を貫通し易いように、鋭利な形
態とすることも好ましい。鋭利な形態としては、円錐状、角錐状、モクネジ形状や先端切
り欠き形状などが例示される。また円柱形状の場合には、その外側面の一部もしくは全部
を雄ネジ状に加工された形状であるものも使用することができる。
また、このような鋼線は、施術し、固定措置を施したあと、両末端部が長すぎた場合に
は、適宜、切断して不要部を取り除く処理を行うことが推奨される。特に、前記した先端
部については、骨に貫通させた後、鋭利な部分を切断除去することも、鋼線の固定のし易
さ等の点からも推奨される。
本発明においては、これらの材質・形状などについては特に限定されることはないが、
通常市販されているキルシュナー鋼線であれば、充分にこれらの形状を満足させることが
できる。
また、前記鋼線保持具は、前記鋼線を貫通させる第１の貫通孔が形成された基板部と、
該基板部に前記第１の貫通孔の向きに沿って具備された楔部とを有し、前記楔部が前記治
療対象部位に食い込み可能とされていることを特徴とする。
ここにおいて、基板部の形状としては、円形、楕円形、正方形、長方形など、上記機能
が果たせれば、いかなる形状であっても差し支えないが、鋼線保持具が接する骨表面の形
状に適応した形状であることが推奨される。たとえば、膝蓋骨に適用する場合には、接触
する骨部分の形状から、長方形や楕円形であることが推奨される。
また、大きさ及び厚さなど（規格）については、材料強度（基板にかかる外力などに対
する。）及び留置箇所（対象となる骨の部位）などにより、それぞれ異なるが、たとえば
対象となる骨が膝蓋骨である場合には、長方形や楕円形の基板が推奨され、長手方向の長
さは１〜１０ｃｍ程度が好ましく、１．５〜５ｃｍ程度であることがさらに好ましい。
幅方向の長さは０．３〜２ｃｍ程度が好ましく、０．５〜１．５ｃｍ程度であることが
さらに好ましい。また、厚みについては０．１から１ｃｍであることが好ましく、０．２
〜０．７ｃｍ程度であることがさらに好ましい。
また、基板には、前記したように鋼線が貫通することから、鋼線貫通用の孔が設けられ
ている。該孔の規格は、鋼線が貫通できる大きさであることが必須であり、好ましくは極
端な抵抗を受けずに貫通できる程度の大きさであることが推奨される。また、余りに大き
な孔であれば、後記する鋼線固定具の規格を極端に大きくする必要が生じ好ましくない。
さらに、本発明における鋼線保持具に具備される楔部については、その機能は楔部を対
象となる骨に打ち込み（差し込む、押し込む、突き刺すなど）、施術後は基板と実質的に
一体化できることである。
ここで本発明でいう、実質的に一体化するということは、基板と一体となって成型され
ている場合や、楔部が基板に溶接や接着若しくはネジ込みなどによって一体化しているも
のや、さらには楔部が釘状や木ネジ状、くさび状などであって、基板部とは分離されてい
てもよい。また、基板部に、これら分離された楔部を貫通する孔を有し、該孔を貫通し、
対象となる孔に差し込み、基板部に固定化されることでも、実質的に一体化となる。
このような場合には骨に差し込む側でなく、基板部と接触する部分の端部の形状は、基
板部の楔部を貫通させるために設けられた孔よりは大きくするなどによって、楔部によっ
て基板部を押さえこむことができる形状である。
また、楔部の全体的な形状としては、差し込む、押し込むもしくは突き刺すなどによっ
て、対象となる骨に侵入させることが必要である。このことから、その骨に差し込む側の
少なくとも先端は、先鋭な形状でなければならない。具体的な形状は、たとえば、三角柱
（直角三角柱や二等辺三角柱）や円錐形、円錐台形などがあげられる。また、釘状や木ネ
ジ状といった先端が尖鋭な円柱形やくさび状である、先端が尖鋭な多角柱形なども例示さ
れる。
さらに、基板部と一体成型されている場合には、たとえば、基板部の長手方向の両端を
折り曲げるなどし、折り曲げられた部分を楔部とすることができる。この場合、その楔部
の先端を、面取り、切削などにより部分的に切り欠き、先端を先鋭化することができる。
具体的には、先端から根元（基板部接触部）に向け、板の厚み方向においてその対角線的
に沿って切り欠くことにより、直角三角柱形とすることや、厚み方向において二等辺三角
形となるように切り欠くことで、先端を先鋭化することができる。
本発明の骨折治療用内固定器における楔部の長さについては、対象となる骨により、ま
た当該骨にかかる外力の大きさなどによって適宜に適応され、且つ、骨に十分に嵌り込み
、ズレや外れを生じないようになるに十分な長さであることが必要である。たとえば膝蓋
骨に適用する場合には、凡そ０．５〜４ｃｍ程度が好ましく、凡そ１〜３ｃｍであること
がさらに好ましい。
また、楔部の材質は前記した、基板部に用いられる材質と同様の材質が例示される。特
に、基板部と一体成型されている場合には、基板部と同一の材質となることが好ましい。
また、溶接、接着などにより基板部と一体化されている場合や、木ネジや釘などで基板部
の孔に差し込み実質的に基板部と一体化する場合には、基板部と異なる材質であっても差
し支えない。
次に鋼線固定具について述べる。本発明における鋼線固定具の作用は、該固定具による
鋼線への力学的作用、たとえば締め込み作用によって鋼線を押さえ、実質的に鋼線と一体
化させて固定化することである。同時に、鋼線と鋼線保持具が外れないように一体化し、
固定化する作用である。固定具による鋼線への締め込み作用による固定化については、具
体的にはネジ込み方式や押圧方式などにより力学的な鋼線への締め付け等により果たされ
る。特に、ネジによる締め込み作用を応用した一体化による固定化が好ましい。
これらの作用の具現化するための手段及び鋼線固定具の構造について具体的な例示をす
るが、本発明における鋼線固定具は以下の例示のみに限定されるものではなく、前記した
作用・機能を満足させるものであれば如何なる固定具でも差し支えない。  
前記鋼線固定具としての第一の例としては、上記のように、ネジ部及び頭部を有するボ
ルトと、前記ネジ部に螺合されるナットとを有し、前記ネジ部には前記鋼線を貫通させる
第２の貫通孔が前記ネジ部の軸方向に対して直交するように形成され、前記ナットの螺合
により前記鋼線の端部が該ナットと前記ボルトの頭部との間で固定される。
また、前記第２の貫通孔は、前記頭部に寄った位置に設けられていることを特徴とする
。
また、前記ボルトは頭部が多角形のボルトである。
この場合、ナットを締め付けることにより、ボルト側の頭部内面とナット面で鋼線を押
さえつけることで、鋼線の固定化、固定具と鋼線との固定が達成され、さらには鋼線保持
具も固定される。ここにおいて、固定具により固定化された鋼線は骨の両端からの締め付
けに際し、ほぼ完全に骨折部または亀裂部を押さえ込むようにするには、ボルトの端部（
頭部）に位置する多角形体（以下、ボルト端部多角体という。）側面部分と鋼線保持具の
基板面とが当接（密着）することが好ましく、このためには、前記ナットの外径は前記ボ
ルト端部多角体の頭部の外径より小さくする。これにより、ナットによる締め付けが容易
になり、前記ボルト端部多角体の端面（側面）が前記鋼線保持具の基板部に当接した状態
で前記鋼線の端部が固定される。
このとき、鋼線を固定した、鋼線固定具のボルト端部多角体の側面及びナットの多角体
側面と鋼線保持具基板部面との間隔は、多少（膝蓋骨の施術の場合では、ほぼ１ｃｍくら
いまで）の隙間が生じても、施術効果に実質的に問題を生じない場合もあり、この場合に
は、ボルト端部多角体外径とナットの外径が同一であっても差し支えない。
逆に、ボルトの多角体径がナットの外径よりも小さくなっても差し支えない場合もある
。ただし、これらの径の大きさの違いが余りに大きいと、好ましくなく、たとえば膝蓋骨
に適用する場合の外径の差は、１ｃｍ以下、好ましくは０．５ｃｍ以下であることが推奨
される。
このとき、該固定具のボルト部に設けた、貫通孔の内表面に窪みを設けることも推奨さ
れる。ここで言う窪みとは、表面に筋状に設けた浅い窪みである。このような窪みを形成
することで、窪み加工したボルト面と鋼線との摩擦力が増大することにより、溝面の押圧
力による鋼線固定保持効果が増大し、ボルトの回転などによるズレを防ぐ効果をもたらす
。このような窪みは、三角形の形状や四角形の形状といった、先鋭な溝形状であることが
好ましい。
次に、前記鋼線固定具の第二の例として、前記ボルトのネジ部はボルト端部多角体に接
合する部分から先端（締め付け用のナットが挿入されるボルト末端部）に向けて先細りと
なるテーパー形状とされ、該ネジ部の中心部には、先端から前記ボルト端部にかけてボル
トの長軸方向に沿って切り欠かれ、ボルトネジ部を分割する溝が第一の例のボルト上の貫
通孔に代えて、１以上、ボルトの長軸方向に沿って形成され、該溝は鋼線を通すことがで
き、かつ鋼線の外径より若干（１ｍｍ以下が好ましい。）大きい程度の幅を有する。
前記ナットの螺合により、テーパーネジを締め付けることにより、前記溝の幅間隔は狭
まり、強くネジ止めすることにより、溝内表面からの押す力により該溝に通した鋼線を締
め付ける。この結果、前記溝に嵌め込まれた前記鋼線の端部が前記溝内で固定される。こ
の際に、前記溝において、鋼線と接触する部分に、第一の例に記載したと同様な窪みのも
のを締め付ける鋼線の長軸方向に沿って形成させておいてもよい。言い換えればボルトの
長軸方向と直交するように該窪みを形成させる。
前記した、ボルトネジ部を分割する溝の例としては、テーパーネジ（雄ネジ）状とした
ボルトを２分割するように溝を設ける。該溝の幅は、ナットによる締め付け前には、鋼線
を貫通させることができる幅であり、かつ、ナットを締めつけた際には、鋼線を十分に押
え込むことができる幅である。
このように設けた溝の内表面に窪み加工を施す。窪みは、前記したように、溝内表面に
、鋼線が貫通する方向に沿って設けられる。この際、溝の形状としては、鋼線外径よりは
幾分小さい幅で、三角形や四角形状に切り欠きを設けることや、溝内表面上に、鋼線の貫
通方向に沿って、複数（各溝面に対して２以上、好ましくは５以上）の線状の窪みを設け
ることも推奨される。
このようにして、テーパーネジ状であり、かつ、溝を有したボルトをナットにより締め
付けることで、鋼線は抑えられ固定される。また、２以上の溝を設けた場合は、溝は鋼線
が貫通されなければならないことから、鋼線が貫通できるように設けることが必須である
。具体的には、たとえばボルトを等分割するように設置する場合には、２分割、４分割、
８分割というように溝を設置する必要があるが、接触効率の観点から２分割であることが
好ましい。
また、前記鋼線固定具の第三の例として、第二の例と同様に、ネジ部及び頭部（端部多
角体）を有するボルトと、前記ネジ部に螺合されるナットとを有し、前記ボルトのネジ部
は先端に向けて先細りとなるテーパー形状となっている。該ネジ部の中心部には、先端か
ら前記頭部にかけて第二の例と同様にボルトネジ部を分割するように、切り欠かれた溝が
形成され、前記ボルト端部多角体に前記ネジ部の軸方向に沿いかつ前記溝に連通させた孔
が形成され、前記ボルトの頭部の頂部が前記鋼線保持具の基板部に当接した状態で前記ナ
ットが螺合されることにより、前記鋼線の端部が前記溝の内面側で締め付けられて固定さ
れることを特徴とする。
具体的には、前記鋼線保持具に鋼線を貫通させた後、該保持具を骨に突き刺し、該ボル
ト端部多角対の端面（平面状の底面）が該保持具基板部の平面に接触するように鋼線を該
固定具に通し、その後、ナットをボルトネジ部に装着し、締め込む。ナットで締め込むこ
とにより、該ボルトの溝間隔が狭まり、鋼線を締め付けることにより、鋼線と固定具、さ
らには鋼線保持具と一体化させ、固定がなされる。
ここにおいて、第三の例における溝の形態は、ボルトのネジ部（頭部は除く）を等分割
するように設けることが好ましい。たとえば２分割した形態であれば、鋼線と接触する溝
内面は平面状であるが、３分割した場合、またはそれ以上に等分割した溝では、鋼線と接
触する部分は、それぞれ核の頂点部分で接触（つまりは線状接触となる。）する。
このような場合、形成した頂点部分を面取り加工することにより、溝と鋼線が接触する
際に、溝の平面と鋼線が接触するようになり、鋼線を締め付ける効果が増大することが期
待される。また、溝内部に形成された面に鋼線の長軸方向に沿った形で窪み（好ましくは
複数）を設けることが推奨される。窪みを設けることで、鋼線と溝内平面部分との摩擦力
が増大され、より効果的に鋼線を固定することがもたらされる。
窪みとしての形態は、前記の第一及び第二の例と同様であることが推奨される。また、
鋼線の長軸方向と同一方向に直線的に線上の浅い溝状の窪みを等間隔に複数設けること、
好ましくは３本以上、さらに好ましくは５本以上設けることが推奨される。当該窪みを設
置することで、鋼線側面と溝面との間の摩擦力は増大し、固定具の回転などによる緩みを
より防止することができる。
また、第四の例としては一般的な管（チューブなど）を結合する際に使用する、片側ユ
ニオンやスリーブの機能を応用した例である。前記鋼線固定具は、外周にネジ部を有し、
内部に貫通孔を有する、貫通型のボルト形式となっているいわゆる孔貫通型スリーブと、
内部に貫通孔を有する所謂ドーナッツ型の締め付け具となるフェラルまたはＯ−リング及
び貫通型内部に前記フェラルやＯ−リングなどを収容可能な空間を有し、頂部から前記空
間に連通させた貫通孔を有する袋ナットとを有し、前記袋ナットのネジつきユニオンタイ
プのスリーブへの締め込みにより、前記フェラルやＯ−リングなどが鋼線と片側ネジつき
ユニオンタイプのスリーブ内面との間に形成されている空間に押し込まれ、前記鋼線の端
部及び前記空間に食い込むことで前記鋼線の端部が固定されることを特徴とする。
具体的には、本発明でいうスリーブとは、径の中心に長軸方向に鋼線が貫通することが
できる貫通孔を有し、雄ネジを有し、ある程度の厚みを有する多角柱（通常は６角柱）の
一端部（以降頭部と呼称する。）を有する、ボルト形状の中空孔貫通型のユニオンタイプ
のスリーブである。該スリーブには、前記したように長軸方向に貫通孔（ボルトの頭部端
面から、ボルト先端面までの総てに亘る長軸方向の直線状の貫通孔）が設けられている。
外形状的には通常、管を結合させる際に用いるユニオン継ぎ手の片側のみの形状をしてい
る。
また、ボルトの頭部端面（ボルト長軸方向と垂直となる面）は鋼線保持具基板面と良好
に接触するように平面であることが好ましい。さらには、ボルト頭部端面と鋼線保持具基
板面が接合しボルト形状のユニオンタイプのスリーブと鋼線保持具が一体化していてもよ
い。この場合、該保持具基板面に形成された貫通孔とスリーブに設けられた貫通孔は、鋼
線が同時に双方の貫通孔を貫通できるように配置されている。このとき、該保持具とユニ
オンとの一体化について、本発明では特に限定されるものではないが、たとえば溶接、接
着、また保持具とユニオンが同一材料となる切り出し、削り出し、もしくは鍛造などによ
り達成することができる。
スリーブに設けられた貫通孔の形状は、特段の制限はなく円形、楕円形や多角形の孔で
あっても、フェラルによる締め付け効果が十分に発揮でき、かつ鋼線が貫通出来る形状で
あればいずれの形状であっても差し支えないが、加工上の観点、鋼線の形状やフェラルの
効果などから円形であることが推奨される。
さらに、該貫通孔の径の大きさについては、本発明においては特段の規定はしないが、
好ましい大きさについては、鋼線の径の大きさ及びフェラルの外径の大きさと形状に依存
する。具体的には、鋼線の外径に対してフェラルが接触する部分の内径において、数％〜
１０数％程度大きいことが好ましいが、フェラルが接触しない部分の貫通孔の径について
は前記した大きさでもよく、好ましくは鋼線が極端な抵抗を受けずに貫通できる程度の径
である。すなわち、鋼線の外径より数％程度大きければ好ましい。
従って、このような場合には、ユニオンの袋ナットと接する先端面からある程度の深さ
（たとえば膝蓋骨用に使用する場合は数ｍｍ程度以内の範囲）は広い口径であり、それ以
降、保持具基板面までの貫通孔の口径を小さくするといった、２段型の貫通孔であること
が、フェラルによる鋼線の締め付け効果の観点から好まししい。
また、該ユニオンの貫通孔径を鋼線が上記したように極端な抵抗を受けずに貫通可能な
程度の径とし、フェラルと接触する部分の先端部をテーパー状に面取りする貫通孔も推奨
される。テーパー状に面取りすることで、後述するように、フェラルが袋ナットに押され
て、貫通孔と鋼線との隙間により食い込みやすくなり、強い鋼線の固定化が期待できる。
このとき、テーパー面の深さに関しては前記した２段型孔と大口径となる孔の深さと同
様の範囲となるか、もしくはそれより幾分浅い程度とすることが推奨される。  また、第
五の例として、第四の例と同様の構造であるが、多角形状部を挟んで、双方にボルト上の
ユニオン部を有し、長軸方向に貫通孔を有する、通常の配管継ぎ手型ユニオンであっても
本発明の鋼線固定具の構成要素となり得る。この場合、鋼線はユニオンの上下両端部二箇
所にて、前記と同様の一対の袋ナット及びフェラル又はＯ−リングにより、前記と同様に
して上下２箇所で鋼線が固定される。
この場合には、鋼線固定具に設けられる貫通孔やフェラルと接触する孔の末端部分の構
造は、前記した第四の例の固定具での孔の形状と同様であることが好ましい。このように
第四の例に比して、鋼線固定具は、鋼線の長軸方向に沿って長くなり、固定具自体が過大
となる可能性が高いことから、ボルト部の長さを短くするような手段を講じることが推奨
される。
次に、第四の例及び前記第五の例で例示される鋼線固定具におけるフェラルは、通常の
ユニオン継ぎ手に使用されるような形状であり、袋ナット、孔（本器具では貫通孔）など
の形状に対応付随して決定される形状及び規格であればよい。具体的なフェラルの形状と
しては、ドーナッツ状に中央部が鋼線を通過可能な大きさの孔を有し、ドーナッツ本体部
分の形状としてはユニオンの孔に入り込む方の一端が細く、袋ナット内面と接触する方の
一端が太くなるといった所謂、中空の円錐台柱型や、フェラル側面中央部が膨らんでいる
、所謂そろばん玉型であることが推奨される。
また、通常のユニオン継ぎ手において、ダブル食い込みタイプのフェラルが使用される
ことも多いが、本鋼線固定具におけるフェラルとして２個１対となるダブル食い込みタイ
プのフェラルを使用することも推奨でき、この場合にはより強固に鋼線を固定することが
できる。これに加えて、フェラルの代わりに、Ｏ−リングを用いることも推奨される。
このようなフェラルまたはＯ−リングの内径については、使用する鋼線を通すことが可
能な径の大きさであることが必須であるが、余りに内径が大きいと、ユニオンの貫通孔に
鋼線を挿入した際にできる、貫通孔内壁面（特にナット接触側端部）と鋼線との間にでき
る空間へ、当該フェラルやＯ−リングが実質的に食い込むことができなくなり、有効に鋼
線を固定することが困難となる。
従って、フェラルやＯ−リングの内径としては、鋼線を通すことができる程度の径の大
きさであることが好ましい。但し、あまりに鋼線に比して大きければ、鋼線を締め込み、
固定することが実質的に不可能となる恐れが生じる。また、フェラルやＯ−リングの素材
として可撓性材質（たとえば、バイトンやシリコーン）である場合、その内径は鋼線の外
径よりも若干小さいことが好ましい。この場合には、Ｏ−リングを拡げ、挟みながら、鋼
線に取り付け、その後、袋ナットで押さえこむことで、鋼線は効果的に固定される。
さらに、前記フェラルやＯ−リングの最大外径については、前記したユニオンのナット
装着部端面に位置する、貫通孔端部の内径（２段型孔の場合は端部の大きい孔径、テーパ
ー状に面取りされた場合はテーパーの開口部である径）よりも大きくいことが好ましい。
特に、中空型円錐台柱型や算盤玉型のフェラルでは、最大外径がユニオン貫通孔端部内
径よりも小さいと、固定時に袋ナットでの締め付けが有効にできない恐れがあるためであ
る。この際、使用するフェラルの厚み幅（外径と内径の差ではなく、所謂、高さ幅）が大
きく、たとえば前記したようにユニオンボルト孔開口部の構造が２段ないしはテーパー状
の場合は、ユニオン貫通孔開口部の内径の最大径より小さくても差し支えない。ただし、
フェラルやＯ−リングの最大径がユニオン貫通孔の最小径より小さいことは好ましくない
。
また、前記フェラルやＯ−リングの最大外径は、前記ボルト型ユニオンのオスネジ部の
外径及び袋ナットネジ部の内径の大きさよりも小さくすることが推奨される。これは、フ
ェラルの材質が金属などの硬いものであれば、実質的に袋ナットのよるねじ込みができな
くなり、またバイトンやシリコーンである場合、ユニオンや袋ナットのネジ部が金属材質
であると、フェラルやＯ−リングをネジ切るおそれがあるためである。
また、第四及び第五の例での鋼線固定具のユニオン部、ナット部の材質については、前
記した鋼線の材質と同様に、金属類である鋼などの鉄、銅（ただし銅の場合には強度（硬
度）を持たせるために焼きなまししたものが好ましい。）、ステンレス合金、チタン、チ
タン合金などが例示され、高強度樹脂なども例示されるが、腐食性、強度、脆性、生体親
和性などの観点から、ステンレス合金、チタン合金などが好ましい材質として推奨される
。また、パーフルオロポリエチレンなどのフッ素系の樹脂（商品名テフロン：登録商標）
や硬質の樹脂を用いることも推奨される。
また、フェラルやＯ−リングなどの材質に関しては、前記した金属材料や硬質樹脂に加
えて前記したような、バイトンやシリコーン樹脂といった可撓性樹脂を用いることも可能
である。このとき、前記した金属材料をフェラルやＯ−リングの材質とした場合、袋ナッ
トにより、ユニオン部へ大きな力で締め付け鋼線を固定すると、フェラルやＯ−リングが
鋼線に強力に密着し、一体化し、鋼線から外すことができなくなることが場合によっては
生じる。
このように、治療終了後、本発明の骨折治療用内固定器を患者から取り外す際に、鋼線
にフェラルやＯ−リングが密着し外すことができないときには、前記のフェラルやＯ−リ
ングの形状や大きさであると、実質的に袋ナット部は除去することができてもユニオン部
の貫通孔をフェラルが通過できない事態が生じる恐れが大きい。
鋼線からフェラルやＯ−リングが外せない場合には、ユニオン部の貫通孔を通して、鋼
線を取り除くことができない。このような場合には、フェラルやＯ−リングを切断などに
より除去する、もしくはフェラル密着部とユニオン部との間若しくはユニオン頭部と骨と
の間で鋼線を切断する必要がある。実質的に鋼線を前記部分で切断することは非常に困難
であり、フェラルやＯ−リングを除去することが好ましい。
フェラルの材質が上記した金属材料である場合には、切断などの破壊は困難である。こ
ういった場合には、フェラルの材質をテフロン（登録商標）（一般名：パーフルオロポリ
エチレン）や一般名バイトン、シリコーン樹脂といった可撓性樹脂材質とし、カッターナ
イフなどの刃物により切断可能な材質を選択することが好ましい。ただし、フェラルの場
合には、バイトン材質やシリコーン材質については、軟質ではなく硬質のものが好ましい
。
第四及び第五の例における鋼線固定具に用いる袋ナットは、前記ユニオンのボルト部に
ねじ込むナットであり、ボルト部先端面及びフェラルまたはＯ−リングを覆うように、蓋
面を有している。
該蓋面には、該ナットをユニオンにネジ込み、装着した際にユニオンに設けられた貫通
孔と同心円等となる位置、つまりは直線棒状の鋼線がユニオンの孔を貫通し、且つ、袋ナ
ットの穴を貫通することができるように貫通孔が設けられている。この際に、該貫通孔の
大きさは、前記する鋼線が貫通可能な大きさであることが要求される。さらに、ユニオン
と共に装着するフェラルの最大外径よりは小さい径である。
この範囲の規格であれば、鋼線、鋼線が貫通した鋼線保持具及び鋼線を貫通させた鋼線
固定具のユニオン部を装着し、さらに鋼線を通してユニオン部のボルト部分の端面に装着
したフェラルを該袋ナットで締め込み、袋ナットの袋ナット蓋内面により、ユニオン部の
ボルト部分の内面と鋼線との間に形成する隙間にフェラルを押し込み、食い込ませること
により、鋼線と鋼線固定具との固定が達成される。
また、第六の例として、前記鋼線外周には、軸方向に沿って雄ネジ部が設けられ、前記
鋼線固定具は、前記雄ネジ部に螺合されるナットを有し、前記ナットの螺合により前記鋼
線の端部が該ナットにより固定されることを特徴とする。この例では、ナットの雌ネジ部
に鋼線の雄ネジ部が噛み合うことで、鋼線の端部がナットにより固定される。このとき、
鋼線に設けられた雄ネジは、鋼線全体に設けてもよいし、ナットが螺合される部分を中心
にその前後に亘る部分にみに設けても差し支えない。
従って、ナット自体が本発明でいう鋼線固定具となり得る。この場合、対象となる骨部
位によっては、太い鋼線を使用できない場合があり、細い鋼線を雄ネジにネジ切りするこ
とは、鋼線の耐久性や加工上の問題が生じる恐れがある。この際に、ナットと保持具との
間にナットを更に使用することも、締め付けの効果を大きくし得るために推奨される。
要するに、本発明の骨折治療用内固定器では、治療対象部位に対し、鋼線が骨折部位を
跨ぐように貫通され、鋼線の端部を保持する鋼線保持具が治療対象部位の骨折部位を挟む
箇所に固定され、鋼線固定具により鋼線保持具上で鋼線の端部が固定される。
また、鋼線が治療対象部位に対し骨折部位を跨ぐように貫通されることから、切開は治
療対象部位の骨折部位を挟む箇所に固定される鋼線保持具の大きさ程度であればよいこと
になる。
これに加えて、前記した鋼線固定具のうち、第一の例及び第六の例については、ナット
と共に、ワッシャー（座金）を併用することで、よりボルト部分とナット部分の締め付け
を良くし、ナットの緩みを防止する等の効果により固定する効果が得られることも期待で
きる。また、本発明における鋼線固定具においてナットが使用される場合には、ナットを
２個使用する、ダブルナット押さえを行うことでも、ナットの緩みを防止することに効果
をもたらす。
【発明の効果】
【００１１】
本発明の骨折治療用内固定器によれば、治療対象部位に対し、鋼線が骨折部位を跨ぐように貫通され、鋼線の端部を保持する鋼線保持具が治療対象部位の骨折部位を挟む箇所に固定され、鋼線固定具により鋼線保持具上で鋼線の端部が固定されるようにしたので、骨粗鬆症が高度で、骨がぜい弱な高齢者においても、バックアウト現象を確実に防止することができ、しかも手術創を小さくすることができる。
【図面の簡単な説明】
【００１２】
【図１】本発明の骨折治療用内固定器の第１実施形態（前記の鋼線固定具の第一の例の具体的例）を説明するための斜視図である。
【図２】図１の骨折治療用内固定器を示す側面図である。
【図３】図１の骨折治療用内固定器のステープラーを示す斜視図である。
【図４】図３のステープラーの楔部の各種形状について説明するための図である。
【図５】図１の骨折治療用内固定器の鋼線固定具（ネジセット）を説明するための平面図である。
【図６】図１の骨折治療用内固定器の鋼線固定具の構成を変えた場合の第２実施形態（前記の鋼線固定具の第一の例の具体的例におけるナットの外形を小さくしたものを用いた一例）を説明するための図であって、同図（ａ）は骨折治療用内固定器を側面から見た状態を示す図であり、同図（ｂ）は同図（ａ）の骨折治療用内固定器を右方向から見た状態を示す図である。
【図７】図６の鋼線固定具（ネジセット）を説明するための図であって、同図（ａ）はネジセットを示す平面図である。
【図８】図１の骨折治療用内固定器の構成を変えた場合の第３実施形態（前記の鋼線固定具の第二の例の具体的例）を説明するための図であって、同図（ａ）は骨折治療用内固定器を側面から見た状態を示す図であり、同図（ｂ）は同図（ａ）の骨折治療用内固定器を右方向から見た状態を示す図である。
【図９】図８の鋼線固定具（ネジセット）の作用を説明するための図であって、同図（ａ）はナットがボルトに螺合される前の状態を示す図であり、同図（ｂ）はナットがボルトに螺合された状態を示す図である。
【図１０】図１の骨折治療用内固定器の構成を変えた場合の第４実施形態（前記の鋼線固定具の第三の例の具体的例）を説明するための図であって、同図（ａ）は骨折治療用内固定器を側面から見た状態を示す図であり、同図（ｂ）は同図（ａ）の骨折治療用内固定器を正面から見た状態を示す図であり、同図（ｃ）は骨折治療用内固定器を真上から見た状態を示す図である。
【図１１】図１０の鋼線固定具（ネジセット）の作用を説明するための図であって、同図（ａ）はナットがボルトに螺合される前の状態を示す図であり、同図（ｂ）はナットがボルトに螺合された状態を示す図である。
【図１２】図１の骨折治療用内固定器の鋼線固定器具の構成を変えた場合の第５実施形態（前記の鋼線固定具の第四の例の具体的例）を説明するための図であって、同図（ａ）は骨折治療用内固定器の鋼線固定具（袋ナットスリーブセット）の袋ナットの平面図であり、同図（ｂ）は同図（ａ）の袋ナットの側面図であり、同図（ｃ）はフェラルの平面図であり、同図（ｄ）は同図（ｃ）のフェラルの側面図であり、同図（ｅ）はスリーブの平面図であり、同図（ｆ）は同図（ｅ）のスリーブの側面図である。
【図１３】図１２の鋼線固定具（袋ナットスリーブセット）の作用を説明するための図であって、同図（ａ）はステープラーに鋼線固定具（袋ナットスリーブセット）による鋼線の固定前の状態を示す図であり、同図（ｂ）はスリーブに鋼線を通した状態を示す図であり、同図（ｃ）はスリーブにフェラルを取り付けた状態を示す図であり、同図（ｄ）はスリーブに袋ナットを取り付けた状態を示す図であり、同図（ｅ）は鋼線を固定した状態を示す図である。
【図１４】図１２の鋼線固定具（袋ナットスリーブセット）の改良点を説明するための図であって、同図（ａ）は鋼線を固定した状態を示す図であり、同図（ｂ）はフェラルの作用を説明するための図である。
【図１５】図１２の鋼線固定具（袋ナットスリーブセット）の改良点を説明するための図であって、同図（ａ）は鋼線を固定した状態を示す図であり、同図（ｂ）はフェラルの作用を説明するための図であり、同図（ｃ）は鋼線の固定が解かれた状態を示す図である。
【図１６】図１２の骨折治療用内固定器の鋼線固定器具（袋ナットスリーブセット）の構成を変えた場合の第６実施形態（前記の鋼線固定具の第五の例の具体的例）を説明するための図であって、同図（ａ）はユニオンタイプのスリーブを用いた場合の鋼線固定具を示す図であり、同図（ｂ）はユニオンタイプのスリーブを用いた場合の鋼線固定具により鋼線を固定した状態を示す図である。
【図１７】図１の骨折治療用内固定器の鋼線固定具の構成を変えた場合の第７実施形態（前記の鋼線固定具の第六の例の具体的例）を説明するための図であって、同図（ａ）はナットが鋼線の端部に螺合される前の状態を示す図であり、同図（ｂ）はナットが鋼線の端部に螺合された状態を示す図である。
【図１８】第１、第２及び第７実施形態に使用するワッシャー（座金）の一例を示す図である。
【図１９】従来の骨折治療用内固定器の一例（テンションバンドワイヤリング法）を説明するための図である。
【発明を実施するための最良の形態】
【００１３】
本発明の実施形態においては、膝蓋骨骨折治療を例にとり、様々な鋼線固定具を用いた場合で説明する。なお、鋼線としては各実施形態においてキルシュナー鋼線を使用するものとする。また、鋼線保持具としては、図３に示すステープラーを使用するものとする。ただし、第７実施形態において用いるキルシュナー鋼線は、両端部もしくは、全体が雄ネジ形状となった鋼線を用いている。【００１４】
（第１実施形態）
以下、本発明の骨折治療用内固定器の第１実施形態（前記の鋼線固定具の第一の例の具体的例）を、図１〜図５を参照しながら説明する。なお、以下に説明する治療対象は、たとえば膝蓋骨であるものとする。まず、図１及び図２に示すように、第１実施形態での骨折治療用内固定器（以下、内固定器という）は、骨接合用のステープラー１０、キルシュナー鋼線２０、バックアウト現象防止用のネジセット３０を備えている。なお、図１及び図２において、符号４０は膝蓋骨を示し、符号４０ａは一方の骨片を示し、符号４０ｂは他方の骨片を示し、符号４０ｃは亀裂部を示している。【００１５】
ステープラー１０は、キルシュナー鋼線２０の端部を保持し、膝蓋骨４０の亀裂部４０ｃを接合するためのものであって、たとえば図３に示すように、コ字形状をなしている。すなわち、ステープラー１０は、基板部１１と楔部１２とを有している。楔部１２は、基板部１１の両端部から基板部１１の長手方向に対し直交する方向に平行に延設されている。【００１６】
基板部１１は、治療対象により異なるが、膝蓋骨４０を例とすれば、長さが１〜１０ｃｍ程度であり、好ましくは１．５〜５ｃｍ程度であればよい。また、基板部１１の幅は、０．３〜２ｃｍ程度であり、好ましくは０．５〜１．５ｃｍ程度であればよい。また、基板部１１の厚みは、０．１〜１．０ｃｍ程度であり、好ましくは０．２〜０．７ｃｍ程度であればよい。特に、基板部１１の厚みにおいては、薄すぎると保持力が弱くなって撓むことがある。逆に、厚すぎると患者が違和感を覚えることがある。よって、治療の状況に応じて適宜、基板部１１の厚みを選定すればよい。【００１７】
また、基板部１１の中心部分には、楔部１２の延設方向に向いた貫通孔１３が形成されている。貫通孔１３の径は、キルシュナー鋼線２０を貫通させることができる大きさとされている。なお、貫通孔１３の径においては、キルシュナー鋼線２０の径の０．５〜５０％増程度であり、好ましくは１〜２５％増程度であればよい。【００１８】
楔部１２は、骨に充分に食い込み、ズレや外れなどを生じることなく確実な固定ができる長さとなっている。すなわち、楔部１２の長さは、０．５〜４ｃｍ程度であり、好ましくは１〜３ｃｍ程度であればよい。【００１９】
楔部１２については、たとえば図４に示すような様々な形状とすることができる。なお、図４（ａ）、（ｃ）、（ｅ）は、いずれも様々な形状の楔部１２を正面から見た状態を示している。また、図４（ｂ）、（ｄ）、（ｆ）は、それぞれの楔部１２を側面から見た状態を示している。【００２０】
まず、図４（ａ）（ｂ）に示す楔部１２は、側面が矩形状とされているが、正面は先端に向けて両辺の間隔が狭くなる先細りの形状とされている。また、図４（ｃ）（ｄ）に示す楔部１２は、側面が矩形状とされているが、正面は先端に向けて一辺の間隔が狭くなる先細りの形状とされている。また、図４（ｅ）（ｆ）に示す楔部１２は、側面と正面の形状が共に両辺の間隔が狭くなる先細りの形状とされている。このように、いずれの楔部１２であっても、先端が先細りの形状となることから、骨に対する食い込みが充分かつ確実なものとなる。【００２１】
また、上述したキルシュナー鋼線２０は、径が最大で２ｍｍ程度とされている。鋼線固定具であるネジセット３０は、キルシュナー鋼線２０による張力の低下やキルシュナー鋼線２０の位置ズレなどのバックアウト現象を防止するためのものであって、たとえば図５に示すように、六角形状のボルト３１及びナット３２を有している。ボルト３１は、頭部３１ａとネジ部３１ｂとを有している。また、ネジ部３１ｂの頭部３１ａ側に寄った位置には貫通孔３１ｃが形成されている。この貫通孔３１ｃの径は、上述したステープラー１０の基板部１１の貫通孔１３の径と同程度とされている。また、貫通孔３１ｃは、ボルト３１の頭部３１ａの端面３１ｄに対し、直交する方向に形成されている。【００２２】
なお、ナット３２には、ボルト３１のネジ部３１ｂに螺合される雌ネジ部（図示省略）が形成されている。また、ボルト３１の頭部３１ａの径とナット３２の径は、共に同じ（同規格）とされている。そして、ネジ部３１ｂの貫通孔３１ｃに貫通されたキルシュナー鋼線２０は、ナット３２のボルト３１のネジ部３１ｂへの螺合（挟み込みによる締め付け）により、ナット３２とボルト３１の頭部３１ａとの間で固定されるようになっている。【００２３】
次に、以上のような構成の内固定器による治療について説明する。なお、以下の説明においては、ステープラー１０の基板部１１の長さが２ｃｍ程度のものである場合とする。まず、図１及び図２に示す膝蓋骨４０の上下部分を横に切開する。すなわち、膝蓋骨４０の一方の骨片４０ａの上部と他方の骨片４０ｂの下部とを、それぞれ膝蓋骨４０の亀裂部４０ｃに沿って平行に切開することになる。この場合の膝蓋骨４０の上下部分でのそれぞれの切開幅は、ステープラー１０の基板部１１の長さ程度であればよく、２ｃｍ程度となる。【００２４】
次に、膝蓋骨４０の亀裂部４０ｃの亀裂方向に対して直交するように、一方の骨片４０ａの端部（上部）から他方の骨片４０ｂの端部（下部）に向け、１本のキルシュナー鋼線２０を貫通させる。この場合、キルシュナー鋼線２０の一端部２０ａ又は他端部２０ｂに回転治具（回転ドリル形式）を取り付け、キルシュナー鋼線２０を回転させて貫通させる。なお、キルシュナー鋼線２０の貫通方向に際しては、他方の骨片４０ｂの端部（下部）から一方の骨片４０ａの端部（上部）に向けるようにしてもよい。いずれにしても、治療の状況に応じて行えばよい。なお、キルシュナー鋼線２０の貫通などにおいては、通常のテンションバンドワイアリング法における手法と同様である。【００２５】
次に、キルシュナー鋼線２０の他端部２０ｂ側をステープラー１０の基板部１１の貫通孔１３に通す。この場合、ステープラー１０の楔部１２の先端側を膝蓋骨４０の側に向けるようにする。また、ステープラー１０の楔部１２を他方の骨片４０ｂに接触させる。この状態で、押圧可能な治具（ハンマーなど）によりステープラー１０を他方の骨片４０ｂに押し込み、食い込ませる。【００２６】
次に、ネジセット３０のボルト３１のネジ部３１ｂに形成されている貫通孔３１ｃにキルシュナー鋼線２０の他端部２０ｂ側を通し、ボルト３１のネジ部３１ｂにナット３２を螺合する。そして、ナット３２を締め込むと、キルシュナー鋼線２０の他端部２０ｂ側がナット３２とボルト３１の頭部３１ａとの間で固定される。【００２７】
ここで、貫通孔３１ｃは、上述したように、ボルト３１の頭部３１ａの端面３１ｄに対し、直交する方向に形成されている。そのため、キルシュナー鋼線２０の他端部２０ｂ側が固定されるとき、その端面３１ｄがステープラー１０の基板部１１と対峙する。この状態で、ネジセット３０から露出するキルシュナー鋼線２０の他端部２０ｂ側の余分な部分を切断する。ただし、キルシュナー鋼線２０の余分な部分の切断に際しては、キルシュナー鋼線２０の両端部がネジセット３０によって固定された後に行ってもよい。【００２８】
次に、キルシュナー鋼線２０の一端部２０ａ側を上記同様に、ステープラー１０の基板部１１の貫通孔１３に通す。この場合、上記同様に、ステープラー１０の楔部１２の先端側を膝蓋骨４０の側に向けるようにする。また、ステープラー１０の楔部１２を一方の骨片４０ａに接触させる。この状態で、上記同様に、押圧可能な治具（ハンマーなど）によりステープラー１０を一方の骨片４０ａに押し込み、食い込ませる。【００２９】
次に、上記同様に、ネジセット３０のボルト３１のネジ部３１ｂに形成されている貫通孔３１ｃにキルシュナー鋼線２０の一端部２０ａ側を通し、ボルト３１のネジ部３１ｂにナット３２を螺合する。このとき、キルシュナー鋼線２０の一端部２０ａ側を強く引っ張り、膝蓋骨４０の亀裂部４０ｃを密着させる。ただし、亀裂部４０ｃの密着の程度等は、その引っ張り具合等を調節することにより調節可能であることから、引っ張りの程度は適宜所望の感覚になるように行って差し支えない。【００３０】
ここで、貫通孔３１ｃは、上述したように、ボルト３１の頭部３１ａの端面３１ｄに対し、直交する方向に形成されている。そのため、ボルト３１のネジ部３１ｂにナット３２を螺合するとき、ボルト３１の頭部３１ａの端面３１ｄをステープラー１０の基板部１１に対峙させた状態で行うことができ、ナット３２の締め込みを安定して行える。そして、キルシュナー鋼線２０の他端部２０ｂ側を固定した後、ネジセット３０から露出するキルシュナー鋼線２０の他端部２０ｂ側の余分な部分を切断する。【００３１】
これにより、キルシュナー鋼線２０による張力の低下やキルシュナー鋼線２０の位置ズレなどのバックアウト現象を防止することができる。このとき、ボルト３１の頭部３１ａとナット３２との間に、図１８（ａ）に示す円形のワッシャー３３又は図１８（ｂ）に示すねじれ円形のワッシャー３４等のワッシャー類を介在させるようにしてもよい。これにより、キルシュナー鋼線２０の締め付けによる固定を効率的に行うことができる。また、これにより、ボルト３１とナット３２との間での間隔が狭まり、キルシュナー鋼線２０の締め付けの効果を増大させることが期待できる。【００３２】
このように、第１実施形態では、治療対象部位（膝蓋骨４０）に対し、鋼線（キルシュナー鋼線２０）が骨折部位（亀裂部４０ｃ）を跨ぐように貫通され、鋼線（キルシュナー鋼線２０）の端部（一端部２０ａ、他端部２０ｂ）を保持する鋼線保持具（ステープラー１０）が治療対象部位（膝蓋骨４０）の骨折部位（亀裂部４０ｃ）を挟む箇所に固定され、鋼線固定具（ネジセット３０）により鋼線保持具（ステープラー１０）上で鋼線（キルシュナー鋼線２０）の端部（一端部２０ａ、他端部２０ｂ）が固定されるようにした。【００３３】
具体的には、ステープラー１０は、キルシュナー鋼線２０を貫通させる第１の貫通孔（貫通孔１３）が形成された基板部１１と、該基板部１１に貫通孔１３の向きに沿って延設され、治療対象部位（膝蓋骨４０）に対し食い込み可能とされた楔部１２とを有している。【００３４】
また、ネジセット３０は、ネジ部３１ｂ及び頭部３１ａを有するボルト３１と、ネジ部３１ｂに螺合されるナット３２とを有し、ネジ部３１ｂにはキルシュナー鋼線２０を貫通させる第２の貫通孔（３１ｃ）がネジ部３１ｂの軸方向に対して直交するように形成され、ナット３２の螺合によりキルシュナー鋼線２０の端部（一端部２０ａ、他端部２０ｂ）がナット３２とボルト３１の頭部３１ａとの間で固定されるようにしている。また、第２の貫通孔（３１ｃ）は、加工上可能な範囲で頭部３１ａに寄った位置に設けている。【００３５】
以上のように、キルシュナー鋼線２０の端部（一端部２０ａ、他端部２０ｂ）は、鋼線保持具（ステープラー１０）上において、ネジセット３０のナット３２とボルト３１の頭部３１ａとの間で固定されるため、キルシュナー鋼線２０による張力の低下やキルシュナー鋼線２０の位置ズレなどのバックアウト現象を確実に防止することができる。【００３６】
また、キルシュナー鋼線２０は治療対象部位（膝蓋骨４０）に対し骨折部位（亀裂部４０ｃ）を跨ぐように貫通されることから、切開は治療対象部位（膝蓋骨４０）の骨折部位（亀裂部４０ｃ）を挟む箇所に固定されるステープラー１０の大きさ程度であればよいことになる。すなわち、上述したように、膝蓋骨４０の一方の骨片４０ａの上部と他方の骨片４０ｂの下部とを、それぞれ膝蓋骨４０の亀裂部４０ｃに沿って平行に切開することになる。この場合の膝蓋骨４０の上下部分でのそれぞれの切開幅は、ステープラー１０の基板部１１の長さ程度であればよい。ちなみに、ステープラー１０の基板部１１の長さが２ｃｍ程度であれば、その切開幅は２ｃｍ程度でよいことになる。よって、２ｃｍ程度の切開が膝蓋骨４０の上下部分にて行われることから、手術創を小さくすることができ、美容的に優れたものとなる。【００３７】
また、第１実施形態での内固定器は、ステープラー１０、キルシュナー鋼線２０、ネジセット３０で構成されるため、構成が簡素であり、安価に製造することが可能となる。また、構成が簡素であることから、従来でのワイヤーのカットアウトやバックアウトなどのリスクが大きくなっていた骨粗鬆症の強い患者に対しても、リスク低減が可能となる。また、粉砕状の骨折や膝蓋骨下極の骨折に対しては、従来ではテンションバンドワイアリング法やスクリュー固定法などが用いられていたが、いずれも確実な固定力を得ることは困難である。この場合も、第１実施形態での構成が簡素な内固定器を使用することで、確実な固定力を得ることが可能となる。【００３８】
なお、第１実施形態でのネジセット３０は、共に同じ規格の六角形状のボルト３１及びナット３２を有している。そのため、特に、キルシュナー鋼線２０の一端部２０ａ側を強く引っ張り、膝蓋骨４０の亀裂部４０ｃを密着させた状態で、ボルト３１のネジ部３１ｂにナット３２を螺合する際、ステープラー１０の基板部１１との間にナット３２の回転スペースが必要となる。この場合、キルシュナー鋼線２０の一端部２０ａ側をネジセット３０によって固定すると、ネジセット３０とステープラー１０の基板部１１との間に所定の隙間が生じることになる。【００３９】
ただし、このような隙間は、厳密に０とする必要はなく、１ｃｍ程度であっても治療に問題は生じていない。逆に、その隙間を０とした場合であっても、特段の問題も生じない。その隙間を０とした場合の構成については以下に説明する。【００４０】
（第２実施形態）
次に、図６及び図７を参照し、上述の隙間を無くすようにした場合の第２実施形態（前記の鋼線固定具の第一の例の具体的例）について説明する。なお、第２実施形態では、第１実施形態での鋼線固定具の構成を変えた場合を説明するものであって、ナット３２の外径の大きさが、ボルト３１の頭部３１ａの外径の大きさより小さくなっている。また、図６（ａ）は内固定器を側面から見た状態を示し、図６（ｂ）は図６（ａ）の内固定器を右方向から見た状態を示している。また、以下に説明する図において、図１〜図５と共通する部分には同一符号を付し重複する説明は適宜行うものとする。【００４１】
まず、図６（ａ）（ｂ）から分かる通り、鋼線固定具であるネジセット３０のナット３２の径はボルト３１の径より小さくされている。また、図７（ａ）に示すように、ボルト３１のネジ部３１ｂに形成されている貫通孔３１ｃは、上記同様に、ボルト３１の頭部３１ａの端面３１ｄに対し、直交する方向に形成されている。【００４２】
このような構成の内固定器では、図１及び図２で説明したように、１本のキルシュナー鋼線２０を膝蓋骨４０貫通させた後、キルシュナー鋼線２０の他端部２０ｂ側をステープラー１０の基板部１１の貫通孔１３に通す。この状態で、上記第１実施形態と同様に、押圧可能な治具（ハンマーなど）によりステープラー１０を他方の骨片４０ｂに押し込み、食い込ませる。【００４３】
次に、ネジセット３０のボルト３１のネジ部３１ｂに形成されている貫通孔３１ｃにキルシュナー鋼線２０の他端部２０ｂ側を通し、ボルト３１のネジ部３１ｂにナット３２を螺合する。このとき、ボルト３１のネジ部３１ｂに形成されている貫通孔３１ｃは、ボルト３１の頭部３１ａの端面３１ｄに対し、直交する方向に形成されている。また、ナット３２の径はボルト３１の径より小さくされている。そのため、ボルト３１の頭部３１ａの端面３１ｄをステープラー１０の基板部１１に当接させた状態であっても、ステープラー１０の基板部１１との間にナット３２の回転スペースが確保される。【００４４】
そして、キルシュナー鋼線２０の他端部２０ｂ側をナット３２とボルト３１の頭部３１ａとの間で固定した後、上記同様に、ネジセット３０から露出するキルシュナー鋼線２０の他端部２０ｂ側の余分な部分を切断する。ただし、キルシュナー鋼線２０の余分な部分の切断に際しては、上記同様に、キルシュナー鋼線２０の両端部がネジセット３０によって固定された後に行ってもよい。【００４５】
次に、キルシュナー鋼線２０の一端部２０ａ側を上記同様に、ステープラー１０の基板部１１の貫通孔１３に通す。この状態で、上記同様に、押圧可能な治具（ハンマーなど）によりステープラー１０を一方の骨片４０ａに押し込み、食い込ませる。【００４６】
次に、ネジセット３０のボルト３１のネジ部３１ｂに形成されている貫通孔３１ｃにキルシュナー鋼線２０の一端部２０ａ側を通し、ボルト３１のネジ部３１ｂにナット３２を螺合する。そして、上記同様に、キルシュナー鋼線２０の一端部２０ａ側を強く引っ張り、膝蓋骨４０の亀裂部４０ｃを密着させた状態で、ボルト３１のネジ部３１ｂにナット３２を螺合する。【００４７】
ここで、上述したように、ボルト３１のネジ部３１ｂに形成されている貫通孔３１ｃは、ボルト３１の頭部３１ａの端面３１ｄに対し、直交する方向に形成されている。また、ナット３２の径はボルト３１の径より小さくされている。そのため、ボルト３１の頭部３１ａの端面３１ｄをステープラー１０の基板部１１に当接させた状態であっても、上記同様に、ステープラー１０の基板部１１との間にナット３２の回転スペースが確保される。これにより、ステープラー１０の基盤部１１とボルト３１の頭部３１ａの端面３１ｄとを密着させて固定させることができる。【００４８】
また、これにより、ボルト３１の頭部３１ａの端面３１ｄをステープラー１０の基板部１１に当接させた状態でキルシュナー鋼線２０の一端部２０ａ側を引っ張りつつ、ナット３２とボルト３１の頭部３１ａとの間で固定することができる。この場合、基板部１１との間の隙間を無くしつつ、キルシュナー鋼線２０による張力の低下やキルシュナー鋼線２０の位置ズレなどのバックアウト現象を防止することができる。また、第１実施形態と同様に、亀裂部４０ｃの間隔の調整につながる、ステープラー１０の基盤部１１とボルト３１の頭部３１ａの端面３１ｄとの間隔は適宜調整してもよい。そして、ネジセット３０から露出するキルシュナー鋼線２０の一端部２０ａ側の余分な部分を切断する。【００４９】
ここで、ネジセット３０のナット３２の径がボルト３１の径より小さくされていることで、キルシュナー鋼線２０に対する締め付け力の低下が考えられる。この場合は、図１８（ａ）に示す円形のワッシャー３３又は図１８（ｂ）に示すねじれ円形のワッシャー３４等のワッシャー類を介在させるようにしてもよい。これにより、上記同様に、キルシュナー鋼線２０の締め付けによる固定を効率的に行うことができる。また、これにより、ボルト３１とナット３２との間での間隔が狭まり、上記同様に、キルシュナー鋼線２０の締め付けの効果を増大させることが期待できる。【００５０】
このように、第２実施形態では、たとえば図６に示したように、ネジセット３０のナット３２の径を多角形である六角形状のボルト３１の径より小さくしている。併せて、図７（ａ）に示したように、ボルト３１のネジ部３１ｂに形成されている貫通孔３１ｃを、ボルト３１の頭部３１ａの端面３１ｄに対し、直交する方向に形成している。【００５１】
これにより、ボルト３１の頭部３１ａの端面３１ｄをステープラー１０の基板部１１に当接させた状態であっても、ステープラー１０の基板部１１との間にナット３２の回転スペースが確保されることから、上述したキルシュナー鋼線２０のバックアウト現象の防止などは勿論のこと、ネジセット３０とステープラー１０の基板部１１との間の隙間を無くすことができる。【００５２】
（第３実施形態）
次に、図８及び図９を参照し、鋼線固定具であるネジセット３０のボルト３１の形状をさらに変えた場合の第３実施形態（前記の鋼線固定具の第二の例の具体的例）について説明する。第３実施形態は、第２実施形態でのたとえば図７（ａ）に示すネジセット３０のボルト３１のネジ部３１ｂの構成を変えた場合を示している。また、図８（ａ）は内固定器を側面から見た状態を示し、図８（ｂ）は図８（ａ）の内固定器を右方向から見た状態を示している。【００５３】
すなわち、図８（ａ）（ｂ）に示すように、ボルト３１のネジ部３１ｅは先端に向けて先細りとなるテーパー形状とされている。一方、ナット３２の雌ネジ部（図示省略）は、ボルト３１のネジ部３１ｅと同一のピッチの雌ネジとなっている。そして、ナット３２をボルト３１のネジ部３１ｅに螺合すると、ナット３２がボルト３１のネジ部３１ｅに沿って頭部３１ａ側に前進できるようになっている。また、ナット３２がボルト３１のネジ部３１ｅ上を前進しやすいように、ナット３２の雌ネジ部（図示省略）をボルト３１のネジ部３１ｅのテーパー形状と同様なテーパー形状としてもよい。【００５４】
また、ネジ部３１ｅの中心部には、先端からボルト３１の頭部３１ａにかけて切り欠かれた溝３１ｆが形成されている。言い換えれば、溝３１ｆは、ボルト３１のネジ部３１ｅの軸方向に沿ってネジ部３１ｅが２分割されることで、一文字状の構成をなしている。また、溝３１ｆは、図９（ａ）に示すように、先端からボルト３１の頭部３１ａに向けて漸次幅が狭まるテーパー形状とされている。つまり、溝３１ｆの先端側はキルシュナー鋼線２０の径より若干広めに形成され、溝３１ｆの後端側（ボルト３１の頭部３１ａに寄った側）はキルシュナー鋼線２０の径より若干狭く形成されている。これにより、溝３１ｆに対するキルシュナー鋼線２０の嵌め込みが容易となっているとともに、溝３１ｆの後端側ではキルシュナー鋼線２０の仮止めを行うことができるようになっている。【００５５】
また、図８から分かる通り、上記同様に、ネジセット３０のナット３２の外径はボルト３１の頭部３１ａの外径より小さくされている。この場合、第２実施形態と同様に、ボルト３１の頭部３１ａの端面３１ｄをステープラー１０の基板部１１に当接させた状態であっても、ステープラー１０の基板部１１との間にナット３２の回転スペースが確保される。【００５６】
これにより、キルシュナー鋼線２０のバックアウト現象の防止は勿論のこと、ネジセット３０とステープラー１０の基板部１１との間の隙間を無くすことができる。なお、溝３１ｆにあっては、一文字状に限らず、十文字状であってもよい。この場合、最低一つの溝３１ｆは、上述したように、ボルト３１の頭部３１ａの端面３１ｄに対し、直交する方向に形成されていればよい。【００５７】
このような構成の内固定器では、図９（ａ）に示すように、ボルト３１の頭部３１ａに形成されている溝３１ｆにキルシュナー鋼線２０の一端部２０ａ（又は他端部２０ｂ）側を嵌め込む。このとき、溝３１ｆの先端側はキルシュナー鋼線２０の径より若干広めに形成されているため、溝３１ｆに対するキルシュナー鋼線２０の嵌め込みを容易に行える。また、溝３１ｆの後端側（ボルト３１の頭部３１ａに寄った側）はキルシュナー鋼線２０の径より若干狭く形成されているため、キルシュナー鋼線２０の一端部２０ａ（又は他端部２０ｂ）を掴みつつボルト３１をキルシュナー鋼線２０側に押し込むと、溝３１ｆの後端側でキルシュナー鋼線２０の一端部２０ａ（又は他端部２０ｂ）が仮止めされる。ここで、キルシュナー鋼線２０の一端部２０ａ（又は他端部２０ｂ）が仮止めされることで、ボルト３１とキルシュナー鋼線２０の一端部２０ａ（又は他端部２０ｂ）側との位置ズレなどを回避することができる。【００５８】
また、ナット３２の径はボルト３１の径より小さくされている。そのため、上記同様に、ボルト３１の頭部３１ａの端面３１ｄをステープラー１０の基板部１１に当接させた状態であっても、ステープラー１０の基板部１１との間にナット３２の回転スペースが確保される。（ただし、場合によっては、ネジセット３０のナット３２の外径とボルト３１の頭部３１ａの外径とは同一であってもよい。【００５９】
ナット３２の径はボルト３１の径より小さい状態で、ボルト３１のネジ部３１ｅにナット３２を螺合すると、ナット３２は回転しボルト３１のネジ部３１ｅ上をボルト３１の頭部３１ａの方向に向かって前進する。これにより、図９（ａ）に示すように、ネジ部３１ｅに対し、実線矢印方向に締め付け力が作用し、溝３１ｆの先端側の隙間が徐々に狭められる。そして、図９（ｂ）に示すように、キルシュナー鋼線２０の一端部２０ａ（又は他端部２０ｂ）がボルト３１のネジ部３１ｅの溝３１ｆにより固定される。なお、キルシュナー鋼線２０の一端部２０ａ側を固定する場合は、上記同様に、キルシュナー鋼線２０の一端部２０ａ側を強く引っ張り、膝蓋骨４０の亀裂部４０ｃを密着させた状態で、ボルト３１のネジ部３１ｂにナット３２を螺合する。この場合、上記同様に、亀裂部４０ｃの密着の程度等は、その引っ張り具合等を調節することにより調節可能であることから、引っ張りの程度は適宜所望の感覚になるように行って差し支えない。【００６０】
これにより、上記同様に、キルシュナー鋼線２０による張力の低下やキルシュナー鋼線２０の位置ズレなどのバックアウト現象を防止することができる。そして、キルシュナー鋼線２０の一端部２０ａ（又は他端部２０ｂ）側をボルト３１のネジ部３１ｅの溝３１ｆにより固定した後、ネジセット３０から露出するキルシュナー鋼線２０の一端部２０ａ（又は他端部２０ｂ）側の余分な部分を切断する。【００６１】
このように、第３実施形態では、ボルト３１のネジ部３１ｅは先端に向けて先細りとなるテーパー形状とされ、該ネジ部３１ｅの中心部には先端から頭部３１ａにかけて切り欠かれた溝３１ｆが形成され、ナット３２の螺合により、溝３１ｆに嵌め込まれたキルシュナー鋼線２０の一端部２０ａ（又は他端部２０ｂ）が溝３１ｆ内で固定されるようにしたので、キルシュナー鋼線２０の上述したバックアウト現象の防止などは勿論のこと、上記同様に、ネジセット３０とステープラー１０の基板部１１との間の隙間を無くすことができる。【００６２】
また、ボルト３１のネジ部３１ｅに対するキルシュナー鋼線２０の一端部２０ａ（又は他端部２０ｂ）側の装着は、ネジ部３１ｅへの嵌め込みにより行われるため、治療の時間の短縮に極めて有効なものとなる。【００６３】
（第４実施形態）  
次に、図１０及び図１１を参照し、鋼線固定具であるネジセット３０のボルト３１の形状をさらに変えた場合の第４実施形態（前記の鋼線固定具の第三の例の具体的例）について説明する。なお、第４実施形態では、第３実施形態でのネジセット３０のボルト３１の構成を変えている。また、図１０（ａ）は内固定器を側面から見た状態を示し、図１０（ｂ）は内固定器を正面から見た状態を示し、図１０（ｃ）は内固定器を真上から見た状態を示している。【００６４】
すなわち、図１０（ａ）〜（ｃ）に示すように、ボルト３１のネジ部３１ｅは第３実施形態での図８及び図９で説明したものと同様に、先端に向けて先細りとなるテーパー形状とされている。また、ネジ部３１ｅの中心部には、図８及び図９で説明したものと同様に、先端からボルト３１の頭部３１ａにかけて切り欠かれた一文字状の溝３１ｆが形成されている。ただし、第４実施形態では、その溝３１ｆに加え、ボルト３１の頭部３１ａに丸孔３１ｇを形成している。【００６５】
すなわち、ボルト３１の頭部３１ａの中心部分には、ネジ部３１ｅの軸方向に沿った丸孔３１ｇが形成されている。また、その丸孔３１ｇは、溝３１ｆに連通している。また、その丸孔３１ｇは、溝３１ｆと同様に、キルシュナー鋼線２０の径より若干広めに形成されている。これにより、キルシュナー鋼線２０の一端部２０ａ（又は他端部２０ｂ）側を、ボルト３１の頭部３１ａの丸孔３１ｇ及びネジ部３１ｅの溝３１ｆに挿入できるようになっている。なお、溝３１ｆにあっては、上記同様に、一文字状に限らず、十文字状であってもよいが、２分割する一文字状であることが好ましい。十文字状である場合には、溝内面の角を面取りし、平面状となることが好ましい。【００６６】
また、図１０から分かる通り、ネジセット３０のナット３２の径はボルト３１の径より小さくされている。また、キルシュナー鋼線２０の一端部２０ａ（又は他端部２０ｂ）側がボルト３１の頭部３１ａの丸孔３１ｇ及びネジ部３１ｅの溝３１ｆに挿入されるため、ボルト３１の頂部３１ｈをステープラー１０の基板部１１に当接させることができる。また、ボルト３１の頭部３１ａの頂部３１ｈをステープラー１０の基板部１１に当接させた状態で、キルシュナー鋼線２０の一端部２０ａ（又は他端部２０ｂ）側が外部に引き出される構成であるから、ナット３２の径はボルト３１の径と同程度または大きくても差し支えない。【００６７】
このような構成の内固定器では、図１１（ａ）に示すように、ステープラー１０の基板部１１の貫通孔１３に通したキルシュナー鋼線２０の一端部２０ａ（又は他端部２０ｂ）側をボルト３１の頭部３１ａの丸孔３１ｇ及びネジ部３１ｅの溝３１ｆに通す。このとき、丸孔３１ｇ及び溝３１ｆは、キルシュナー鋼線２０の径より若干広めに形成されている。そのため、キルシュナー鋼線２０の一端部２０ａ（又は他端部２０ｂ）側を丸孔３１ｇ及び溝３１ｆに容易に通すことができる。【００６８】
そして、丸孔３１ｇ及び溝３１ｆに通したキルシュナー鋼線２０の一端部２０ａ（又は他端部２０ｂ）側を第３実施形態と同様のナット３２の雌ネジ部（図示省略）に通し、キルシュナー鋼線２０の一端部２０ａ（又は他端部２０ｂ）を掴みつつナット３２をボルト３１のネジ部３１ｅに螺合する。このとき、図１１（ｂ）に示すように、ネジ部３１ｅに対し、ナット３２はボルト３１の頭部３１ａに向かって前進する。これにより、ボルト３１の溝３１ｆには、実線矢印方向に締め付け力が作用し、溝３１ｆの先端側の隙間が徐々に狭められる。そして、キルシュナー鋼線２０の一端部２０ａ（又は他端部２０ｂ）がボルト３１のネジ部３１ｅの溝３１ｆの先端側にて挟まれることで固定される。【００６９】
なお、キルシュナー鋼線２０の一端部２０ａ側を固定する場合は、上記同様に、キルシュナー鋼線２０の一端部２０ａ側を強く引っ張り、膝蓋骨４０の亀裂部４０ｃを密着させた状態で、ボルト３１のネジ部３１ｅにナット３２を螺合する。これにより、上記同様に、キルシュナー鋼線２０による張力の低下やキルシュナー鋼線２０の位置ズレなどのバックアウト現象を防止することができる。そして、キルシュナー鋼線２０の一端部２０ａ（又は他端部２０ｂ）側をボルト３１のネジ部３１ｅの溝３１ｆにより固定した後、ネジセット３０から露出するキルシュナー鋼線２０の一端部２０ａ（又は他端部２０ｂ）側の余分な部分を切断する。この場合、上記同様に、亀裂部４０ｃの密着の程度等は、その引っ張り具合等を調節することにより調節可能であることから、引っ張りの程度は適宜所望の感覚になるように行って差し支えない。【００７０】
このように、第４実施形態では、ボルト３１のネジ部３１ｅに、先端からボルト３１の頭部３１ａにかけて切り欠かれた一文字状の溝３１ｆが形成され、さらにネジ部３１ｅの軸方向に沿った丸孔３１ｇがボルト３１の頭部３１ａに形成されている。そして、ボルト３１の頭部３１ａの頂部３１ｈをステープラー１０の基板部１１に当接させた状態で、ナット３２の螺合によりキルシュナー鋼線２０の一端部２０ａ（又は他端部２０ｂ）がネジ部３１ｅの溝３１ｆの先端側で固定される。【００７１】
これにより、上述したキルシュナー鋼線２０のバックアウト現象の防止などは勿論のこと、上記同様に、ネジセット３０とステープラー１０の基板部１１との間の隙間を無くすことができる。また、ボルト３１の頭部３１ａの頂部３１ｈがステープラー１０の基板部１１に当接するため、ステープラー１０に対するボルト３１の接合がより安定化される。【００７２】
（第５実施形態）
次に、図１２〜図１５を参照し、ネジセット３０を袋ナットスリーブセットに変えた場合の第５実施形態（前記の鋼線固定具の第四の例の具体的例）について説明する。なお、図１２（ａ）は袋ナットを真上から見た状態を示し、同図（ｂ）はその袋ナットを側面から見た状態を示し、同図（ｃ）はフェラルを真上から見た状態を示し、同図（ｄ）はそのフェラルを側面から見た状態を示し、同図（ｅ）はスリーブを真上から見た状態を示し、同図（ｆ）はそのスリーブを側面から見た状態を示している。【００７３】
すなわち、第５実施形態での袋ナットスリーブセット３０Ａは、図１２（ａ）（ｂ）に示す袋ナット３６と、同図（ｂ）（ｃ）に示すフェラル３７と、同図（ｅ）（ｆ）に示すスリーブ３５とを有している。ここで、袋ナット３６は、内部にフェラル３７の外径より大きい寸法の空間３６ｃを有している。また、空間３６ｃの周囲には雌ネジ部３６ａが形成されている。また、袋ナット３６には、空間３６ｃに連通させた貫通孔３６ｂが形成されている。この貫通孔３６ｂは、頂部３６ｄに対して直交するように形成されている。また、その貫通孔３６ｂは、キルシュナー鋼線２０の径より若干広めに形成されている。【００７４】
フェラル３７は、先端部３７ａ側がテーパー形状とされている。また、その先端部３７ａ側は、スリーブ３５の後述の貫通孔３５ｄより若干小さくされている。これにより、その先端部３７ａ側をスリーブ３５の後述の貫通孔３５ｄに嵌め込むことができるようになっている。また、フェラル３７の内部には、貫通孔３７ｂが形成されている。この貫通孔３７ｂは、袋ナット３６の貫通孔３６ｂと同程度の大きさとされている。このフェラル３７は、たとえば金属製であり、袋ナット３６の締め込みにより、キルシュナー鋼線２０及びスリーブ３５の後述の貫通孔３５ｄに食い込むようになっている。【００７５】
スリーブ３５は、たとえば金属製であり、フランジ部３５ａと軸部３５ｂとを有している。また、フランジ部３５ａと軸部３５ｂには、貫通孔３５ｃ、３５ｄが形成されている。これらの貫通孔３５ｃ、３５ｄは互いに連通している。軸部３５ｂの径は、袋ナット３６の空間３６ｃと同程度とされている。また、軸部３５ｂの先端部には、袋ナット３６の雌ネジ部３６ａが螺合されるネジ部３５ｅが形成されている。なお、フランジ部底面はステ−プラー基板と接合し、スリーブとステープラーが一体化していても差し支えない。【００７６】
このような構成の内固定器では、図１３（ａ）（ｂ）に示すように、ステープラー１０の基板部１１の貫通孔１３に通したキルシュナー鋼線２０の一端部２０ａ（又は他端部２０ｂ）側をスリーブ３５の貫通孔３５ｃ、３５ｄに通す。このとき、貫通孔３５ｃ、３５ｄは、キルシュナー鋼線２０の径より若干広めに形成されている。そのため、キルシュナー鋼線２０の一端部２０ａ（又は他端部２０ｂ）側を貫通孔３５ｃ、３５ｄに容易に通すことができる。またこのとき、スリーブ３５のフランジ部３５ａをステープラー１０の基板部１１側に向けるようにする。【００７７】
次に、図１３（ｃ）に示すように、フェラル３７のテーパー形状とされている先端部３７ａ側をスリーブ３５に向けるとともに、フェラル３７の貫通孔３７ｂにキルシュナー鋼線２０の一端部２０ａ（又は他端部２０ｂ）側を通す。この貫通孔３７ｂは、袋ナット３６の貫通孔３６ｂと同程度の大きさとされているため、キルシュナー鋼線２０の一端部２０ａ（又は他端部２０ｂ）側を貫通孔３７ｂに容易に通すことができる。そして、フェラル３７のテーパー形状とされている先端部３７ａ側をスリーブ３５の貫通孔３５ｄに嵌め込む。【００７８】
次に、図１３（ｄ）（ｅ）に示すように、袋ナット３６の空間３６ｃ側をスリーブ３５に向けるとともに、その空間３６ｃ内にフェラル３７を収容しつつスリーブ３５の軸部３５ｂのネジ部３５ｅに螺合する。そして、袋ナット３６を締め込むことで、フェラル３７の先端部３７ａがキルシュナー鋼線２０の一端部２０ａ（又は他端部２０ｂ）とスリーブ３５の貫通孔３５ｄに食い込む。これにより、上記同様に、キルシュナー鋼線２０による張力の低下やキルシュナー鋼線２０の位置ズレなどのバックアウト現象を防止することができる。また、スリーブ３５のフランジ部３５ａをステープラー１０の基板部１１に当接させた状態で袋ナット３６を螺合することができるため、上記同様に、ステープラー１０の基板部１１との間の隙間を無くすことができる。【００７９】
ここで、袋ナット３６を締め込みによりフェラル３７の先端部３７ａがキルシュナー鋼線２０の一端部２０ａ（又は他端部２０ｂ）とスリーブ３５の貫通孔３５ｄに食い込んだり、キルシュナー鋼線２０に強固に密着固定し外れなくなったりする現象について考察する。すなわち、図１４（ａ）に示すように、スリーブ３５のフランジ部３５ａがステープラー１０の基板部１１に当接した状態でキルシュナー鋼線２０の固定が行われる。【００８０】
そのため、完治後においては、フェラル３７の先端部３７ａをスリーブ３５の貫通孔３５ｄから引き抜くための余裕が無くなるものと考えられ、フェラル３７を除去しなければ引き抜くことが困難となる。この場合は、特に、亀裂部４０ｃの間隔を完全密着とし、隙間に余裕がないとき、フェラル３７とスリーブ３５のフランジ部３５ａの底面との間に隙間が生じない。そのため、図１４（ｂ）の点線矢印で示すように、フェラル３７の先端部３７ａを通る位置での切断が必要となる。ただし、亀裂部４０ｃの間隔等を調整し、隙間が１ｃｍ程度生じている場合には、カッターによって該隙間から鋼線を切断することも不可能ではない。【００８１】
前記のように隙間がない場合には、図１４（ｂ）に示したようにフェラル３７の先端部３７ａを通る位置で切断しなければならないが、スリーブ３５は強度を維持するために金属製である必要があることから、図１４（ｂ）の点線矢印で示す位置での切断は患者への負担などを考慮すると困難となるものと考えられる。この場合は、フェラル３７を硬質の樹脂や硬質のパーフルオロエチレン（商品名テフロン：登録商標）などの硬質樹脂製とするか、シリコーン樹脂やバイトンといった可撓性の樹脂製フェラルとすることが推奨される。【００８２】
そして、図１５（ａ）示す袋ナット３６を取り外した後、図１５（ｂ）の点線矢印で示す位置でフェラル３７をカッターなどで切断し、図１５（ｃ）に示すように除去する。なお、フェラル３７が硬質シリコーン又はテフロン（登録商標）などの硬質樹脂製であれば、フェラル３７を切断後、ピンセットなどでスリーブ３５の貫通孔３５ｄから引き抜くことも可能である。【００８３】
さらには、上記の樹脂であれば、先端が鋭利な発熱体（たとえば、先端が鋭利なはんだごて）によって、フェラル３７を溶断、焼き切り等によって切断し、除去することも可能である。このような、フェラル３７の切断除去の操作は、１対の鋼線固定具のうち、一方の鋼線固定具のフェラル３７を切断除去すれば、キルシュナー鋼線２０を抜き取ることができる。また、フェラル３７はダブル食い込みタイプのフェラルであっても差し支えなく、更にはフェラルに代えて、Ｏ−リングを使用することもできる。【００８４】
このように、第５実施形態では、鋼線固定具である袋ナットスリーブセット３０Ａは、外周にネジ部３５ｅを有し、内部に第３の貫通孔（貫通孔３５ｄ）を有するスリーブ３５と、先端部側がテーパー形状とされ、内部に第４の貫通孔（貫通孔３７ｂ）を有し、第３の貫通孔（貫通孔３５ｄ）に先端部側が嵌め込まれるフェラル３７と、内部にフェラル３７を収容可能な空間３６ｃを有し、頂部３６ｄから空間３６ｃに連通させた第５の貫通孔（貫通孔３６ｂ）を有する袋ナット３６とを有している。そして、スリーブ３５のフランジ部３５ａをステープラー１０の基板部１１に当接させた状態で袋ナット３６を締め込むことにより、フェラル３７がキルシュナー鋼線２０の一端部２０ａ（又は他端部２０ｂ）とスリーブ３５の貫通孔３５ｄに食い込み、キルシュナー鋼線２０の一端部２０ａ（又は他端部２０ｂ）が固定される。【００８５】
これにより、キルシュナー鋼線２０の上述したバックアウト現象の防止などは勿論のこと、上記同様に、袋ナットスリーブセット３０Ａとステープラー１０の基板部１１との間の隙間を無くすことができる。また、スリーブ３５のフランジ部３５ａがステープラー１０の基板部１１に当接するため、ステープラー１０に対するスリーブ３５の接合がより安定化される。また、フェラル３７がキルシュナー鋼線２０の一端部２０ａ（又は他端部２０ｂ）とスリーブ３５の貫通孔３５ｄに食い込むため、キルシュナー鋼線２０の一端部２０ａ（又は他端部２０ｂ）の固定がより強固に行われる。【００８６】
また、フェラル３７が硬質シリコーン又はテフロン（登録商標）などの硬質樹脂製であれば、種々の手段で切断したり、可撓性材質であれば、ピンセットなどでスリーブ３５の貫通孔３５ｄまたは鋼線から引き抜いたり、取り外すことも可能であり、完治後においての内固定器の取り外しを容易に行うことができる。【００８７】
（第６実施形態）
次に、図１６を参照し、図１２の骨折治療用内固定器の鋼線固定器具（袋ナットスリーブセット）の構成を変えた場合の第６実施形態（前記の鋼線固定具の第五の例の具体的例）について説明する。【００８８】
すなわち、図１６（ａ）に示すように、第６実施形態での袋ナットスリーブセット３０Ｂは、第５実施形態で説明した袋ナット３６とフェラル３７とを有している。ただし、第６実施形態でのスリーブ３５Ａは、フランジ部３５ａを挟んで上下に延びる軸部３５ｂを有したユニオンタイプとなっている。【００８９】
このような構成では、図１６（ｂ）に示すように、ステープラー１０の基板部１１の貫通孔１３に通したキルシュナー鋼線２０の一端部２０ａ（又は他端部２０ｂ）側を、基板部１１側に位置する袋ナット３６の貫通孔３６ｂとフェラル３７の貫通孔３７ｂに通し、さらにスリーブ３５Ａの貫通孔３５ｄに通す。ここで、基板部１１側に位置する袋ナット３６を締め込むことで、上記同様に、キルシュナー鋼線２０を固定する。【００９０】
さらに、キルシュナー鋼線２０の一端部２０ａ（又は他端部２０ｂ）側を基板部１１側から離れた位置のフェラル３７の貫通孔３７ｂと袋ナット３６の貫通孔３６ｂに通し、上記同様に、キルシュナー鋼線２０を固定する。【００９１】
なお、キルシュナー鋼線２０の固定に際しては、基板部１１側から離れた位置の袋ナット３６を最初に締め込み、その後に基板部１１側に位置する袋ナット３６を締め込むようにしてもよい。また、治療完了後に、キルシュナー鋼線２０を取り出す方法や鋼線固定具の材質については第５実施形態と同一であることが推奨される。【００９２】
このように、第６実施形態では、ユニオンタイプのスリーブ３５Ａにより、キルシュナー鋼線２０の一端部２０ａ（又は他端部２０ｂ）側を２箇所で固定することから、第５実施形態に比べてさらにキルシュナー鋼線２０の固定をより強固に行うことができる。【００９３】
（第７実施形態）
次に、図１７を参照し、ネジセット３０のボルト３１を省いた場合の第７実施形態（前記の鋼線固定具の第六の例の具体的例）について説明する。すなわち、図１７（ａ）に示すように、キルシュナー鋼線２０の外周には、軸方向に沿って雄ネジ部２１が設けられている。なお、雄ネジ部２１にあっては、キルシュナー鋼線２０の一端部２０ａ（又は他端部２０ｂ）のみに設けられているようにしてもよい。ナット３２には、キルシュナー鋼線２０の一端部２０ａ（又は他端部２０ｂ）の雄ネジ部２１に螺合される雌ネジ部（図示省略）が形成されている。【００９４】
このような構成の内固定器では、図１７（ａ）に示すように、ステープラー１０の基板部１１の貫通孔１３にキルシュナー鋼線２０の一端部２０ａ（又は他端部２０ｂ）側を通す。そして、図１７（ｂ）に示すように、その一端部２０ａ（又は他端部２０ｂ）の雄ネジ部２１にナット３２を螺合する。このとき、ナット３２の雌ネジ部（図示省略）にキルシュナー鋼線２０の雄ネジ部２１が噛み合うことで、キルシュナー鋼線２０の一端部２０ａ（又は他端部２０ｂ）がナット３２により固定される。【００９５】
これにより、上記同様に、キルシュナー鋼線２０による張力の低下やキルシュナー鋼線２０の位置ズレなどのバックアウト現象を防止することができる。そして、キルシュナー鋼線２０の一端部２０ａ（又は他端部２０ｂ）側をナット３２により固定した後、ナット３２から露出するキルシュナー鋼線２０の一端部２０ａ（又は他端部２０ｂ）側の余分な部分を切断する。【００９６】
なお、キルシュナー鋼線２０に対する張力は、ナット３２の螺合により調整されるため、適切な螺合によりキルシュナー鋼線２０を固定することが好ましい。【００９７】
このように、第７実施形態では、キルシュナー鋼線２０の一端部２０ａ（又は他端部２０ｂ）の雄ネジ部２１にナット３２を螺合するようにしているため、上述したボルト３１が不要となる。【００９８】
これにより、上述したキルシュナー鋼線２０のバックアウト現象の防止などは勿論のこと、上記同様に、ナット３２とステープラー１０の基板部１１との間の隙間を無くすことができる。また、ナット３２がステープラー１０の基板部１１に当接するため、ステープラー１０に対するボルト３１の接合がより安定化される。また、上述したボルト３１が不要となることで、ボルト３１の取り付けに要する時間の短縮も図れる。【００９９】
なお、以上の各実施形態のうち、第５及び第６の実施形態を除き、一般的なナット３２を使用しているが、このようなナット３２を使用する場合、さらに同様のナット３２を使用するといった、複数のナット３２による締め付けを行うことも可能である。このようにすると、締め付けたナット３２の緩みを防止する効果があるため、キルシュナー鋼線２０の固定を維持するためには効果的な手段となる。【０１００】
さらに、第１、第２及び第７実施形態においては、前記したように、図１８（ａ）に示した円形のワッシャー３３又は図１８（ｂ）に示したねじれ円形のワッシャー３４等のワッシャー類を介在させることで、キルシュナー鋼線２０の固定化に好ましい効果をもたらす。【０１０１】
なお、以上の各実施形態では、治療対象部位を膝蓋骨４０とした場合で説明したが、この例に限らず、双方向からの締め付けを要する骨接合部位に応用が可能であり、大腿骨顆部骨折や踵骨骨折などにも応用が可能である。
【符号の説明】
【０１０２】
１０  ステープラー
１１  基板部
１２  楔部
１３  貫通孔
２０  キルシュナー鋼線
２０ａ  一端部
２０ｂ  他端部
３０  ネジセット
３０Ａ、３０Ｂ  袋ナットスリーブセット
３１  ボルト
３１ａ  頭部
３１ｂ  ネジ部
３１ｃ  貫通孔
３１ｄ  端面
３１ｅ  ネジ部
３１ｆ  溝
３１ｇ  丸孔
３１ｈ  頂部
３２  ナット
３３、３４  ワッシャー
３５、３５Ａ  スリーブ
３５ａ  フランジ部
３５ｂ  軸部
３５ｃ、３５ｄ  貫通孔
３５ｅ  ネジ部
３６  袋ナット
３６ａ  雌ネジ部
３６ｂ  貫通孔
３６ｃ  空間
３６ｄ  頂部
３７  フェラル
３７ａ  先端部
３７ｂ  貫通孔
４０  膝蓋骨
４０ａ  一方の骨片
４０ｂ  他方の骨片
４０ｃ  亀裂部
【図１】
0006616767.tif 000002
【図２】
0006616767.tif 000003
【図３】
0006616767.tif 000004
【図４】
0006616767.tif 000005
【図５】
0006616767.tif 000006
【図６】
0006616767.tif 000007
【図７】
0006616767.tif 000008
【図８】
0006616767.tif 000009
【図９】
0006616767.tif 000010
【図１０】
0006616767.tif 000011
【図１１】
0006616767.tif 000012
【図１２】
0006616767.tif 000013
【図１３】
0006616767.tif 000014
【図１４】
0006616767.tif 000015
【図１５】
0006616767.tif 000016
【図１６】
0006616767.tif 000017
【図１７】
0006616767.tif 000018
【図１８】
0006616767.tif 000019
【図１９】
0006616767.tif 000020